【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
撮像面への入射光を光電変換する撮像手段と、
前記撮像手段の露出量を決定する為のパラメータを設定するパラメータ設定手段と、
前記パラメータ設定手段により設定されるパラメータに基づき露出補正の補正単位を決定する補正単位決定手段とを有し、
前記補正単位決定手段によって決定した補正単位にて露出補正を行うことを特徴とする撮像装置。
【請求項２】
前記パラメータとは少なくとも絞り値とシャッタースピードの組み合わせからなることを特徴とする請求項１に記載の撮像装置。
【請求項３】
前記撮像手段から得られる信号に基づく画像を表示する表示手段を更に有し、
前記補正単位決定手段は、変化した露出補正の補正単位を反映させて前記表示手段に表示させることを特徴とする請求項１または２に記載の撮像装置。
【請求項４】
撮像面への入射光を光電変換する撮像手段と、
撮像手段から得られる信号に基づく画像を表示する表示手段と、
前記表示手段に被写界の輝度分布を表示する輝度分布表示手段と、
前記撮像手段から得られる信号における輝度分布の幅に応じて補正単位を決定する補正単位変化手段とを有し、
前記補正単位変化手段によって決定した補正単位に基づき、前記輝度分布表示手段によって表示されている輝度分布の補正単位を決定することを特徴とする撮像装置。
【請求項５】
前記輝度分布表示手段は、前記表示手段にさらに補正単位の表示を行い、補正単位決定手段は、前記撮像手段から得られる信号における最大輝度から最小輝度までの輝度分布の幅に応じて前記補正単位の表示形態を決定することを特徴とする請求項４に記載の撮像装置。
【請求項６】
前記補正単位変化手段は、前記被写界の輝度分布の幅が前記撮像手段の識別可能な輝度分布の幅よりも広い場合に、広くない場合に比較して、前記補正単位を小さくすることを特徴とする請求項４または５に記載の撮像装置。
【請求項７】
撮像面への入射光を光電変換する撮像工程と、
前記撮像工程の露出量を決定する為のパラメータを設定するパラメータ設定工程と、
前記パラメータ設定工程により設定されるパラメータに基づき露出補正の補正単位を決定する補正単位決定工程とを有し、
前記補正単位決定工程によって決定した補正単位にて露出補正を行うことを特徴とする撮像装置の制御方法。
【請求項８】
前記パラメータとは少なくとも絞り値とシャッタースピードの組み合わせからなることを特徴とする請求項７に記載の撮像装置の制御方法。
【請求項９】
前記撮像工程から得られる信号に基づく画像を表示する表示工程を更に有し、
前記補正単位決定工程は、決定した露出補正の補正単位を反映させて前記表示工程に表示させることを特徴とする請求項７または８に記載の撮像装置の制御方法。
【請求項１０】
撮像面への入射光を光電変換する撮像工程と、
撮像工程から得られる信号に基づく画像を表示する表示工程と、
前記表示工程に被写界の輝度分布を表示する輝度分布表示工程と、
前記撮像工程から得られる信号における輝度分布の幅に応じて前記補正単位を決定させる補正単位変化工程とを有し、
前記補正単位決定工程によって決定した補正単位に基づき、前記輝度分布表示工程によって表示されている輝度分布の補正単位を決定することを特徴とする撮像装置の制御方法。
【請求項１１】
前記輝度分布表示工程は、前記表示工程にさらに補正単位の表示を行い、補正単位変化工程は、前記撮像工程から得られる信号における最大輝度から最小輝度までの輝度幅に応じて前記補正単位の表示形態を決定することを特徴とする請求項１０に記載の撮像装置の制御方法。
【請求項１２】
前記補正単位変化工程は、前記被写界の輝度分布の幅が前記撮像工程にて光電変換を行うための撮像手段の識別可能な輝度分布の幅よりも広い場合に、広くない場合に比較して、前記補正単位を小さくすることを特徴とする請求項１０または１１に記載の撮像装置の制御方法。
【手続補正２】
【補正対象書類名】明細書
【補正対象項目名】００１２
【補正方法】変更
【補正の内容】
【００１２】
△Ａｖ＝２Ｌｏｇ２（１／（１＋△Ｄ／Ｄ））・・・（式３）
上述したように、Ａｖ値の誤差分△Ａｖは△Ｄに応じて決まるのだが、△Ｄが小さくなるに従って、絞り駆動量に誤差が出やすくなる。
【手続補正３】
【補正対象書類名】明細書
【補正対象項目名】００１８
【補正方法】変更
【補正の内容】
【００１８】
また、開放側に合わせた場合には、小絞り側では、安定した制御が出来ないことになり、制御デバイスの性能を十分に引き出せないということになる。
【手続補正４】
【補正対象書類名】明細書
【補正対象項目名】００２２
【補正方法】変更
【補正の内容】
【００２２】
△Ｔｖ＝Ｌｏｇ２（１／（１＋△Ｔ／Ｔ））・・・（式６）
上述したように、Ｔｖ値の誤差分△Ｔｖは△Ｔに応じて決まるのだが、△Ｔは小さくなるに従って、Ｔｖ制御に誤差が出やすくなる。
【手続補正５】
【補正対象書類名】明細書
【補正対象項目名】００３５
【補正方法】変更
【補正の内容】
【００３５】
上記課題を解決し、目的を達成するために、本発明の撮像装置は、撮像面への入射光を光電変換する撮像手段と、前記撮像手段の露出量を決定する為のパラメータを設定するパラメータ設定手段と、前記パラメータ設定手段により設定されるパラメータに基づき露出補正の補正単位を決定する補正単位決定手段とを有し、前記補正単位決定手段によって決定した補正単位にて露出補正を行うことを特徴とする。
また、上記課題を解決し、目的を達成するために、本発明の撮像装置の制御方法は、撮像面への入射光を光電変換する撮像工程と、前記撮像工程の露出量を決定する為のパラメータを設定するパラメータ設定工程と、前記パラメータ設定工程により設定されるパラメータに基づき露出補正の補正単位を決定する補正単位決定工程とを有し、前記補正単位決定工程によって決定した補正単位にて露出補正を行うことを特徴とする。
【手続補正６】
【補正対象書類名】明細書
【補正対象項目名】００３６
【補正方法】変更
【補正の内容】
【００３６】
また、上記課題を解決し、目的を達成するために、本発明の撮像装置は、撮像面への入射光を光電変換する撮像手段と、撮像手段から得られる信号に基づく画像を表示する表示手段と、前記表示手段に被写界の輝度分布を表示する輝度分布表示手段と、前記撮像手段から得られる信号における輝度分布の幅に応じて補正単位を決定する補正単位変化手段とを有し、前記補正単位変化手段によって決定した補正単位に基づき、前記輝度分布表示手段によって表示されている輝度分布の補正単位を決定することを特徴とする。
また、上記課題を解決し、目的を達成するために、本発明の撮像装置の制御方法は、撮像面への入射光を光電変換する撮像工程と、撮像工程から得られる信号に基づく画像を表示する表示工程と、前記表示工程に被写界の輝度分布を表示する輝度分布表示工程と、前記撮像工程から得られる信号における輝度分布の幅に応じて前記補正単位を決定させる補正単位変化工程とを有し、前記補正単位決定工程によって決定した補正単位に基づき、前記輝度分布表示工程によって表示されている輝度分布の補正単位を決定することを特徴とする。
【手続補正７】
【補正対象書類名】明細書
【補正対象項目名】００３７
【補正方法】削除
【補正の内容】
【手続補正８】
【補正対象書類名】明細書
【補正対象項目名】００４８
【補正方法】変更
【補正の内容】
【００４８】
ＳＷ２（１２１）がオンされ、露光制御がはじまると、システム制御部１３０は予め設定されているＡｖ、Ｔｖに基づき、各デバイスの制御を行い撮像を行う。
【手続補正９】
【補正対象書類名】明細書
【補正対象項目名】００７８
【補正方法】変更
【補正の内容】
【００７８】
例えば、絞りを開放に設定し被写界深度を浅くするポートレートモードや小絞り設定にし被写界深度を深くする風景モードといった、複雑なプログラム線図であっても、プログラム線図を用いる以上、上記と同様な制御を行うことが可能である。
【手続補正１０】
【補正対象書類名】図面
【補正対象項目名】図２
【補正方法】変更
【補正の内容】
【図２】
2008141479.tif 000001